(57)【要約】【課題】電動ファンの不作動時においては自然放散を抑制できる電動式放散装置の提供。【解決手段】電動式放散装置は、芳香剤６を入れた容器本体３と、この開口部を閉蓋して気体放出孔５を有する蓋体４と、蓋体４の表面側に設けられたモータ１７と、蓋体４の裏面側に設けられてモータ１７により裏面に対向する羽根２ｂが回転駆動されるファン２とを備える。ファン２の環状ボス部２ａは回転軸８に嵌ってそのスラスト方向に移動可能であって、回転軸８の下端に捩じ込んだストッパー板１０で抜け止めされており、このストッパー板１０と環状ボス部２ａとの間にはゴム等の環状弾性材１１が介在している。【選択図】      図１
2008043563.tif 000002
【特許請求の範囲】
【請求項１】
内容物を入れた容器本体と、この容器本体の開口部を閉蓋して気体放出孔を有する蓋体とを備えた電動式放散装置において、前記蓋体に設けられたモータと、前記蓋体の裏面側に設けられて前記モータにより前記裏面に対向する羽根が回転駆動されるファンと、前記ファンの起動加速時に前記羽根を前記気体放出孔から離反させると共に、前記ファンの減速停止時に前記羽根を前記裏面に重ねる放出孔開閉手段とを有することを特徴とする電動式放散装置。
【請求項２】
請求項１に記載の電動式放散装置において、前記放出孔開閉手段は、回転軸に対してスラスト方向に移動可能な前記ファンを前記気体放出孔寄りに弾力的に付勢する付勢手段を有することを特徴とする電動式放散装置。
【請求項３】
請求項１又は請求項２に記載の電動式放散装置において、前記ファンの停止時に前記羽根を前記気体放出孔に重ねる羽根位置決め手段を有することを特徴とする電動式放散装置。
【請求項４】
請求項３に記載の電動式放散装置において、前記羽根位置決め手段は、前記ファンに設けられた第１の磁性体と、前記蓋体に設けられて前記第１の磁性体が磁気吸着する第２の磁性体とを有することを特徴とする電動式放散装置。
【請求項５】
請求項４に記載の電動式放散装置において、前記第１の磁性体は、複数の前記羽根の先端を巡るリングに設けられて成ることを特徴とする電動式放散装置。
【発明の詳細な説明】
【技術分野】
【０００１】
本発明は、モータ駆動により香気等を放散する電動式放散装置に関する。
【背景技術】
【０００２】
特開平７−３３１８０に開示の芳香器は、芳香剤を入れた容器本体とこの上に設置した蓋体とからなり、蓋体ケース内に電動ファンが設けられており、蓋体ケース底面に開口した香気吸収口から電動ファンで取り込んだ芳気が空気流通路を介して蓋体ケース側面の香気吹出口から吹き出されるようになっている。
【特許文献１】特開平７−３３１８０（図１）
【発明の開示】
【発明が解決しようとする課題】
【０００３】
しかしながら、この芳香器の電動ファンの不作動時においては、容器本体の内空間は香気吸込み口，電動ファンの羽根同士の隙間，空気流通路及び香気吹出口を介して外気と繋がっているため、容器本体内の芳香剤が自然放散し続けるので、芳香剤の無駄な消費を招く。
【０００４】
そこで上記問題点に鑑み、本発明の課題は、電動ファンの不作動時においては自然放散を抑制できる電動式放散装置を提供することにある。
【課題を解決するための手段】
【０００５】
本発明は、内容物を入れた容器本体と、この容器本体の開口部を閉蓋して気体放出孔を有する蓋体とを備えた電動式放散装置において、蓋体に設けられたモータと、蓋体の裏面側に設けられて電動モータにより裏面に対向する羽根が回転駆動されるファンと、ファンの起動加速時に羽根を気体放出孔から離反させると共に、ファンの減速停止時に羽根を裏面に重ねる放出孔開閉手段とを有することを特徴とする。
【０００６】
斯かる構成においては、モータが起動すると、ファンが回転しながら放出孔開閉手段により羽根が気体放出孔から離反するので、内容物の芳香等が気体放出孔を介して外界へ吹き出る。モータ起動が停止すると、放出孔開閉手段により羽根が蓋体の裏面に重なって気体放出孔を塞ぐので、気体放出孔からの芳香等の自然放散も停止する。このため、電動ファンの不作動時においては自然放散を抑制でき、芳香剤等の無駄な消費を無くすことができる。
【０００７】
放出孔開閉手段としては、例えば、回転軸に対してスラスト方向に移動可能なファンを気体放出孔寄りに弾力的に付勢する付勢手段を有する構成を採用できる。モータが起動加速すると、羽根に受ける空圧によりファンが付勢手段の付勢力に抗して蓋体の裏面から避退し、羽根が気体放出孔を開放し、モータ起動が減速停止すると、次第に減退する空圧によって付勢手段の付勢力で、羽根が蓋体の裏面に重なり気体放出孔を塞ぐ。付勢手段としてはバネやゴム等を用いるだけで済むので、簡易構成で低コスト化を図ることができる。
【０００８】
気体放出孔の密閉を確実とするためには、ファンの停止時に羽根を気体放出孔に重ねる羽根位置決め手段を有することが望ましい。この羽根位置決め手段としては、ファンに設けられた第１の磁性体と蓋体に設けられて第１の磁性体が磁気吸着する第２の磁性体とを有する構成を採用できる。ファンの回転停止時には、蓋体の第２の磁性体にファン側の第１の磁性体が磁気吸着するため、羽根で気体放出孔を確実に密閉することができる。なお、第１の磁性体は複数の羽根の先端を巡るリングに設けても好い。
【発明の効果】
【０００９】
本発明によれば、電動ファンの不作動時においては自然放散を抑制できる。
【発明を実施するための最良の形態】
【００１０】
次に、本発明の実施形態を添付図面に基づいて説明する。図１（ａ）は本発明の一実施例に係る電動式放散装置のファン停止時の状態を示す断面図、図１（ｂ）は同電動式放散装置のファン回転時の状態を示す断面図、図２は同電動式放散装置の蓋体を示す断面図、図３（ａ）は同蓋体の斜視図、図３（ｂ）同蓋体の底面図、図４は同電動式放散装置のファンを示す斜視図である。
【００１１】
本例の電動式放散装置は、芳香剤６を入れた容器本体３と、この容器本体３の上部開口に冠した蓋体４とを有する。
【００１２】
蓋体４は図３に示す如くの５つの気体放出孔５を等角度毎に有し、蓋体５の表面側には図２に示す如く電池ボックス７が設けられている。この電池ボックス７の上には、スイッチ１５が設けられており、電池ボックス７内には、モータ１７とこれに給電する電池１６とが収納されている。このモータ１７の出力軸１７ａに連結した回転軸８は蓋体４の中央孔４ａを介して下方へ突出し、この回転軸８にファン２が取着されている。
【００１３】
ファン２は中央部の環状ボス部２ａとこれから放射方向に延びた５枚の羽根２ｂとから成り、蓋体４の裏面に対向している。環状ボス部２ａは回転軸８に嵌ってそのスラスト方向に移動可能であって、回転軸８の下端に捩じ込んだストッパー板１０で抜け止めされており、このストッパー板１０と環状ボス部２ａとの間にはゴム等の環状弾性材１１が介在している。
【００１４】
ファン２は樹脂製であるが、その一つの羽根２ｂはその先端側に第１の磁性体１３を有する。これに対し、蓋体４の裏面側のうち、一つの気体放出孔５の中心線上には第１の磁性体１３と磁気吸着する第２の磁性体１４が設けられている。
【００１５】
スイッチ１５をオンにし、モータ１７が起動して羽根２ｂの回転が加速すると、図１（ｂ）及び図６（ｂ）に示す如く、回転する羽根２ｂに受ける空圧によりファン２が環状弾性材１１の付勢力に抗して蓋体４の裏面から下方へ避退し、羽根２ｂが気体放出孔５を開放するので、芳香が矢印の如く外界へ吹き出る。他方、スイッチ１５をオフし、羽根２ｂの回転が減速すると、回転する羽根２ｂに受ける空圧が低下し、図１（ａ）及び図６（ａ）に示す如く、ファン２が環状弾性材１１の付勢で蓋体４の裏面に接近して重なり、第１の磁性体１３が第２の磁性体１４に磁気吸着し、５枚の羽根２ｂが５つの気体放出孔５を塞ぐので、芳香の自然放散も停止する。このため、電動ファンの不作動時においては自然放散を抑制でき、芳香剤等の無駄な消費を無くすことができる。
【００１６】
ここで、環状弾性材１１は放出孔開閉手段を構成しており、第１の磁性体１３と第２の磁性体１４とは羽根位置決め手段を構成している。
【００１７】
なお、図５に示す如く、第１の磁性体１３は５枚の羽根２ｂの先端を巡るリング１８に設けても構わない。
【図面の簡単な説明】
【００１８】
【図１】（ａ）は本発明の一実施例に係る電動式放散装置のファン停止時の状態を示す断面図、（ｂ）は同電動式放散装置のファン回転時の状態を示す断面図である。
【図２】同電動式放散装置の蓋体を示す断面図である。
【図３】（ａ）は同蓋体の斜視図、（ｂ）は同蓋体の底面図である。
【図４】同電動式放散装置のファンを示す斜視図である。
【図５】同電動式放散装置の別のファンを示す斜視図である。
【図６】（ａ）は同電動式放散装置のファン停止時における蓋体の状態を示す断面図、（ｂ）は同電動式放散装置のファン回転時における蓋体状態を示す断面図である。
【符号の説明】
【００１９】
２…ファン
２ａ…環状ボス部
２ｂ…羽根
３…容器本体
４…蓋体
４ａ…中央孔
５…気体放出孔
６…芳香剤
７…電池ボックス
８…回転軸
１０…ストッパー板
１１…環状弾性材
１３…第１の磁性体
１４…第２の磁性体
１５…スイッチ
１６…電池
１７…モータ
１７ａ…出力軸
１８…リング
【図１】
2008043563.tif 000003
【図２】
2008043563.tif 000004
【図３】
2008043563.tif 000005
【図４】
2008043563.tif 000006
【図５】
2008043563.tif 000007
【図６】
2008043563.tif 000008